(57)【要約】【課題】  魚釣りの天秤仕掛は、線材で作られる幹棒と腕棒とがおおよそ直角を成すように固定されて構成されるため持ち運びに不便であることから、構造強度、操作性に優れた天秤仕掛けを提供する。【解決手段】  貫通孔を有する連結枠体を基部に備えた幹棒と、前記貫通孔に内接して挿脱自在に結合する挿着体を基部に備えた腕棒とで構成され、該挿着体が線材で成る略Ｖ字形状を基礎とした弾性を有する構造体または腕棒基部を回動自在に設けたブロック体であって、使用時は連結枠体に挿着体を挿着して幹棒と腕棒が略垂直に固定され、非使用時は挿着体を連結枠体から抜脱して幹棒と腕棒を略平行にして収納できる天秤仕掛。【選択図】図５
2010220592.tif 000002
【特許請求の範囲】
【請求項１】
貫通孔を有する連結枠体を基部に備え該貫通孔の軸芯と平行で上方に延伸した幹棒と、前記連結枠体の貫通孔に内接して上側から挿脱自在に結合する挿着体と、該挿着体を基部に備え前記連結枠体の上部挿入側で前記軸芯に対し略垂直方向にまたは下向鋭角に構成した後略垂直方向に延伸した腕棒とで構成され、使用時は前記連結枠体に挿着体を挿着して幹棒と腕棒が略垂直に固定され、非使用時は前記挿着体を連結枠体から抜脱して幹棒と腕棒を略平行にして収納できることを特徴とする天秤仕掛。
【請求項２】
前記挿着体が線材で成る略Ｖ字形状を基礎とした弾性を有する構造体であって、該挿着体を前記連結枠体に挿入して該挿着体の弾性により定着させることを特徴とする請求項１に記載の天秤仕掛。
【請求項３】
前記挿着体が上部に前記幹棒を摺動自在に挿通させ前記連結枠体に挿入された位置で支持作用する略楕円孔の斜め貫通孔を持つ支持手段を備えたことを特徴とする請求項１または請求項２のいずれかに記載の天秤仕掛。
【請求項４】
前記挿着体と上端に設けた係止輪で折曲自在に結合した補助棒で構成され、該係止輪は前記連結枠体の貫通孔を挿通自在としたことを特徴とする請求項１〜請求項３のいずれかに記載の天秤仕掛。
【請求項５】
請求項１に記載の挿着体がブロック体で構成され、腕棒が１または２以上の複数個であって、該腕棒の基部を略直角下向に折曲して該挿着体に設けた前記幹棒に平行な腕棒受孔に回動自在に設け、該挿着体を前記連結枠体に挿着したとき該腕棒が該連結枠体に設けた受け溝に装着され該腕棒の方向が固定されることを特徴とする請求項１〜請求項４のいずれかに記載の天秤仕掛。
【発明の詳細な説明】
【技術分野】
【０００１】  持ち運びに便利な魚釣り用の天秤仕掛の構造に関する。
【背景技術】
【０００２】  魚釣りの天秤仕掛は、線材で作られる幹棒と腕棒とがおおよそ直角を成すように固定されて構成されるため持ち運びに不便であり、この改善のために折り畳みする各種の提案がある。代表的な例として、幹棒と腕棒を交差させてバネを用いて固定と開放を行う例（例えば特許文献１参照）、板状の連結体に設けたピンを介して幹棒と腕棒とを回動自在に構成した例（例えば特許文献２参照）、幹棒と腕棒を揺動自在に連結しこの連結部を筒状部品で直角に固定しまたは開放する例（例えば特許文献３参照）がある。
【先行技術文献】
【背景技術】
【０００３】
【特許文献１】公開実用新案公報  平２−１２０１６６号公報（第２頁、図１）
【特許文献２】特開平１０−７５６９６号公報（第２頁、図１）
【特許文献３】特開２００５−２１８３２５号公報（第４頁、図１）
【発明の概要】
【発明が解決しようとする課題】
【０００４】  前記特許文献１〜３に挙げた例を含め従来のものは操作性、構造強度、生産性、機能、効果などの多くを満足できるものではなく、本発明はこれらの課題を解決し持ち運びに便利な収納性に優れた天秤仕掛を提供しようとするものである。
【課題を解決するための手段】
【０００５】  請求項１に記載のように、貫通孔を有する連結枠体を基部に備え該貫通孔の軸芯と平行で上方（水面に対し垂直）に延伸した幹棒と、前記貫通孔に内接して上側から挿脱自在に結合する挿着体と、該挿着体を基部に備え前記連結枠体の上部挿入側で前記軸芯に対し略垂直にまたは下向き鋭角に構成した後略垂直方向（水面に対し水平）に延伸した腕棒とで構成され、使用時は連結枠体に挿着体を挿着して幹棒と腕棒が略垂直に固定され、非使用時は挿着体を連結枠体から抜脱して幹棒と腕棒を略平行にして収納できる天秤仕掛とする。【０００６】  請求項２に記載のように、挿着体が弾性を有するステンレス鋼などの線材で成る略Ｖ字形状を基礎とした弾性を有する構造体であって、該Ｖ字開口部外形が前記連結枠体の貫通孔より適宜大きく、挿着体を連結枠体に手指で圧入して該挿着体の弾性により定着させる天秤仕掛とする。【０００７】  請求項３に記載のように、挿着体が幹棒を摺動自在に挿通させ挿着体が連結枠体に挿入された位置で支持作用する支持手段を備えている天秤仕掛とする。【０００８】  請求項４に記載のように、挿着体と上端に設けた係止輪で折曲自在に結合した補助棒で構成され、該係止輪は連結枠体の貫通孔を挿通自在とした天秤仕掛とする。【０００９】  請求項５に記載のように、挿着体がブロック体で構成され、腕棒が１または２以上の複数個であって、該腕棒の基部を略直角下向に折曲して挿着体に設けた幹棒に平行な腕棒受孔に回動自在に設け、挿着体を連結枠体に挿着したとき腕棒が連結枠体に設けた受け溝に装着され腕棒の方向が固定される天秤仕掛とする。
【発明の効果】
【００１０】  使用時は連結枠体に挿着体を挿着するだけで幹棒と腕棒が略垂直に固定され、非使用時は挿着体を連結枠体から抜脱するだけで簡単に腕棒を折り畳んで幹棒と腕棒を略平行にできるので操作性に優れ、使用時、収納時ともに便利である。【００１１】  挿着体を線材で構成する場合は、弾性を有するステンレス鋼などの線材で成る略Ｖ字形状を基礎とした弾性を有する構造体とし、Ｖ字形状の開口部を閉鎖形状とした場合は弾性力を強化することができ、閉鎖部分の形状を工夫した構造とすると構造上の弾性力を調整できるので操作性が良く、挿着体と連結枠体を定位置に固定することができる。【００１２】  挿着体が連結枠体に挿入された位置で固定作用を有する支持手段を備えたので、連結枠体と挿着体との結合力を高めることができる。
また、連結手段と折曲自在に結合した補助棒を設けたので、錘を装着する操作性に優れる。【００１３】  挿着体をブロック体で構成した場合は、腕棒が１または２以上の複数個であっても連結枠体に設けた受け溝に装着されて方向が固定され、また、腕棒は挿着体に回動自在に設けているので挿着体を連結枠体から抜脱するだけで簡単に折り畳んで幹棒と平行にできる。
【図面の簡単な説明】
【００１４】
【図１】本発明の全体を示した正面図である。
【図２】詳細部分を示した正面図である。
【図３】同上の左側面図である。
【図４】同上の収納時を示した正面図である。
【図５】支持手段を有する例の詳細部分を示した正面図である。
【図６】同上の左側面図である。
【図７】同上の収納時を示した正面図である。
【図８】腕棒が複数の例を示した正面図である。
【図９】挿着体の例を示した正面図である。
【図１０】挿着体がブロック材の例の詳細部分をしめした正面図である。
【図１１】同上の平面図である。
【図１２】同上の腕棒折り畳み時を示した平面図である。
【図１３】同上の収納時を示した正面図である。
【実施例】
【００１５】  図を用いて詳細に説明する。図１は本発明の全体構成を表す正面図である。図１において、幹棒１３は水面に垂直方向で、連結枠体１１を下端基部に備え、上端に幹糸を結ぶための係止輪１３ａを設ける。図はこの連結枠体１１に上側から挿脱自在の挿着体１４が装着された状態を示しており、挿着体１４の上部挿入側は幹棒１３に略垂直方向に延伸した腕棒１５として構成され、腕棒１５の先端にはハリスを結ぶための係止輪１５ａを設ける。挿着体１４は下部で直に或いはサルカンやスナップなど連結具を介して錘を結んでも良いが、錘との結合手段の一例として補助棒１７を設け操作性を高めている。錘の重力によって幹棒１３は水面に略垂直に腕棒１５は略水平な状態で使用される。【００１６】  図２は本発明の詳細部分の正面図、図３はその左側面図である。幹棒１３の下端基部に軸芯が幹棒１３に平行な貫通孔１１ａを有する連結枠体１１を設ける。図は連結枠体のみ断面図で示している。なお、連結枠体１１は同図では管状体としたが本発明はこれに限定されるものではない。貫通孔１１ａの断面形状は略円形のほか略矩形も考えられる。【００１７】  挿着体１４は、本図の例では弾性を有するステンレス鋼から成る線材を使用し、略Ｖ字形状部１４ａ、１４ｂを設けこのＶ字開口部の外径は貫通孔１１ａの内径より適宜大きくし、連結枠体１１の上部挿入側から挿着体１４のＶ字形状部を手指で圧入することにより、Ｖ字形状の構造上の弾性力により定位置に一定の保持力を有して固定できる。なお、連結枠体１１と挿着体１４との固定手段は必ずしもこのＶ字形状の弾性力による例に限定されるものではなく、保持機能を有する他の手段であっても良い。【００１８】  図９に挿着体１４が弾性を有する線材を使用した場合の種々の構成例を示す。図において、構造上の弾性力を生じさせる略Ｖ字形状部を１４ａ、１４ｂとし、（ａ）は１４ａが開口部で水平方向に曲げて１４ｃを構成し延伸されて腕棒１５に繋がる。構造上の弾性力はＶ字形状が主体となって作用する。
（ｂ）は、前記に加え１４ｂのＶ字開口部を水平方向に１４ｄとして構成し１４ｃと固着させる。Ｖ字の開口部が塞がれた形状により開口部の変形は制限され構造上の弾性力はＶ字形状部１４ａ、１４ｂが主体となりＶ字の開口部が開放されている（ａ）より高くなる。【００１９】  （ｃ）は、前記のうち１４ｂの上部を延伸した後腕棒方向に曲折した支持部１４ｄを設け１４ｃと固着させる。支持部１４ｄは図では略円弧で表されているが直線的でもよい。これによってＶ字形状に１４ｄ部を加えた全体構造として弾性力を生ずる効果がある。
（ｄ）は１４ａの上部が下向鋭角に曲折して１４ｃを構成し１４ｄと固着させた後水平方向の腕棒１５に繋げる。腕棒１５に大きな張力が作用する場合、挿着体１４が連結枠体１１から逸脱するのを防ぎ連結枠体との結合力を強化する効果がある。【００２０】  前述のように、挿着体１４を線材で構成する場合は、弾性を有する線材を略Ｖ字形状に構成し、（ｂ）のようにＶ字形状の開口部を閉鎖形状とした場合は弾性力を強化することができ、更に（ｃ）、（ｄ）のように閉鎖部分の形状・寸法を工夫することで構造上の弾性力を調整できるので連結枠体１１への挿脱力を適正化でき操作性を良くすることができる。【００２１】  図２〜図４は、天秤仕掛例１であって、図９（ｃ）の例で示している。Ｖ字形状部の底部と補助棒１７の上端に設けた係止輪１７ａを連結して折曲自在の継手とする。これにより補助棒１７は挿着体１４と折曲自在に構成され、継手の外径は貫通孔１１ａの内径より小さくして挿通自在にする。補助棒１７は下端に直接またはサルカンやスナップなど連結具を介して錘を繋ぐ係止輪１７ｂを設ける。
幹棒１３を上方に、補助棒１７を下方に作用させたとき、挿着体の１４ｃ部が連結枠体１１の上端に当接することで、幹棒１３と挿着体１４を定位置で固定することができる。【００２２】  図４にて本発明における収納時の状態を説明する。図は挿着体１４を連結枠体１１から上方に引き抜いた状態を示し、係止輪１７ａは挿着体の１４ｂ部を自在に動くことができ、幹棒１３を上方に回動して図のように幹棒１３と腕棒１５を略平行にすることができる。【００２３】  補助棒１７を設けない場合は、挿着体１４を連結枠体１１から上方に引き抜いた時、幹棒１３と腕棒１５は分離される状態になることを認識して使用する。この場合はＶ字形状部の底部に直接またはサルカンやスナップなど他の手段で錘を繋ぐことになるが、このサルカンなどのサイズが連結枠体１１の貫通孔１１ａより大きい場合は挿通できず幹棒と腕棒を略平行にする機能が果たせないので、補助棒１７を設けた方が操作性がよい。【００２４】  図５は、天秤仕掛例２であって、これまでの例に加え、支持手段１６を備えている場合の例であって、図はその正面図であり、図６は左側面図である。
図において、連結枠体１１は略円形または略矩形の貫通孔１１ａを有する線材から成る輪で構成し、貫通孔の軸芯に平行に幹棒１３を設ける。本例では挿着体１４のＶ字形状の一方の１４ａは図９（ｄ）の例のごとくＶ字形状開口部で下方鋭角に曲折させた後水平に延伸して腕棒１５に繋げる。【００２５】  挿着体１４はＶ字形状の他方の１４ｂを上方に延伸した上端で幹棒１３を摺動自在に挿通させる貫通孔１６ａを有する支持手段１６を備え、この支持手段１６は支持部１４ｄを介して１４ｃに固着し腕棒１５に繋げる。
図の例で支持手段１６は線材で成り貫通孔１６ａは略楕円形でその面の長径は腕棒１５の方向下向きに傾斜して設ける。これによって、挿着体１４が連結枠体１１に挿着した定位置の時は、支持手段１６は幹棒１３が貫通孔１６ａの長径部に内接して固定され、収納する時は、支持手段１６は貫通孔１６ａの長径により幹棒１３を摺動自在なので腕棒１５を上方に反転させることができる。【００２６】  挿着体１４が連結枠体１１に挿入された位置で固定作用を有する支持手段１６を備えたので、連結枠体１１と挿着体１４との結合力を高めることができ、これによって腕棒１５に掛かる大きな張力に耐えることができる。【００２７】  図７に収納時の状態を示す。挿着体１４を連結枠体１１から上方に引き抜き、腕棒１５を上方に回動させながら支持手段１６は幹棒１３を摺動自在に下部位置まで移動させ、係止輪１７ａは挿着体１４の１４ｂ部を移動し、この結果腕棒１５は幹棒１３に略平行にすることがきる。【００２８】  図８は、天秤仕掛例３であって、腕棒１５が複数個の場合の一例を示す。この例は図９の（ａ）を応用したものであり、１４ｃ部を下向鋭角とした場合である。【００２９】  図１０〜図１３に天秤仕掛例４として、前記の線材で成る挿着体１４に代わってブロック材で成る挿着体２４で構成した例を示す。本例は腕棒が４本の場合で示すが本発明は腕棒の本数を限定したものではない。
図１０は、正面図、図１１はその平面図である。
幹棒１３の基部に幹棒に平行な軸芯の貫通孔１１ａを有する連結枠体１１を設ける。貫通孔１１ａに挿脱自在の挿着体２４を設ける。挿着体２４に軸芯方向に平行な腕棒本数分の、本例では４個の腕棒受孔２４ａを設ける。【００３０】  腕棒１５は９０度に曲折して基部とし、前記腕棒受孔２４ａに回動自在に設ける。４本の腕棒の内の２本の基部１５ｂは他の２本の基部１５ｃより基部先端に設けた抜け止め１５ｄまでの長さを使用線材の略線径分だけ長寸法とし、腕棒折り畳みの際の重なりを可能にする。
幹棒１３の軸芯に垂直に延伸した腕棒１５の向は、軸芯の円周を等分した角度、本例では４等分の９０度のそれぞれの位置で、連結枠体１１の上端に設けた腕棒の線径に合わせた幅と適宜深さを有する受け溝１１ｂに上方から挿脱自在に装着され位置決めされる。連結枠体１１を上方に、挿着体２４を下方に作用させると挿着体２４の下端に腕棒基部の抜け止め１５ｄが当接し、腕棒１５は前記受け溝１１ｂの下端に当接するので、腕棒相互の角度を保ちつつ上下方向にも固定することができる。【００３１】  前記挿着体２４を下方へ作用させる手段として、本例では挿着体２４の中央に作用棒１８を設ける。作用棒１８は挿着体２４に固着させても良いが、挿着体２４の中央に回動自在に上部に貫通させ座板１９を介して抜け止め１８ｄを設ける。作用棒１８を下方に作用すると座板１９が腕棒１５を下方に押し当て、４本の腕棒を均一に押し付け固定できる。【００３２】  作用棒１８の下端に錘に繋げる係止輪１８ａを設ける。以上の構成で、挿着体２４が連結枠体１１から上方へ逸脱するのを防止するための種々の手段が考えられるが、本例では、係止輪１８ａの一端を延伸して作用棒１８と略Ｖ字形状を成す弾性構造１８ｂを設けその先端を曲折させて連結枠体１１に当接させるストッパー１８ｃを設ける。作用棒１８と弾性構造１８ｂを手指で挟み付け連結枠体への当接を解除して、作用棒１８を上方に引き上げると挿着体２４に付随する全体が連結枠体１１を挿通して引き抜かれる。【００３３】  図１２に挿着体２４を連結枠体１１から上方に引き上げ腕棒１５を受け溝１１ｂから脱すると、４本の腕棒は基部で回動できるので図のように一方向に折り畳みできる。本例では作用棒１８が上部に突出しているので腕棒１５の回動は一部制限されることを考慮する。【００３４】  図１３に、収納時の状態を示す。挿着体２４を連結枠体１１から上方に引き抜き、腕棒１５を回動させて上向きにし、腕棒の基部１５ｂと１５ｃの長さが腕棒の線径分異なるので重なり合って一方向に折り畳むことができ、この結果腕棒１５は幹棒１３に略平行にすることがきる。【００３５】  これまで、連結枠体および挿着体等の構成部材は主にステンレス鋼から成る線材を用いた場合で説明しているが、連結枠体や挿着体などは高分子材料で成形することもでき、また高分子材料とステンレス鋼線を組み合わせた複合も考えられ、本発明は使用する材料に限定するものではない。
【符号の説明】
【００３６】  １      天秤仕掛例１
２      天秤仕掛例２
３      天秤仕掛例３
４      天秤仕掛例４
１１    連結枠体
１１ａ  貫通孔
１１ｂ  受け溝
１３    幹棒
１４    挿着体
１４ａ、１４ｂ  Ｖ字形状部
１５    腕棒
１６    支持手段
１６ａ  貫通孔
１７    補助棒
１８    作用棒
１８ｃ  ストッパー
１９    座板
２４    挿着体
２４ａ  腕棒受孔
【図１】
2010220592.tif 000003
【図２】
2010220592.tif 000004
【図３】
2010220592.tif 000005
【図４】
2010220592.tif 000006
【図５】
2010220592.tif 000007
【図６】
2010220592.tif 000008
【図７】
2010220592.tif 000009
【図８】
2010220592.tif 000010
【図９】
2010220592.tif 000011
【図１０】
2010220592.tif 000012
【図１１】
2010220592.tif 000013
【図１２】
2010220592.tif 000014
【図１３】
2010220592.tif 000015